(57)【要約】【課題】比較的簡単な構成で配光を制御できるＬＥＤユニット及びそれを備えた照明器具を提供する。【解決手段】ＬＥＤユニット１０は、ベース１と、ベース１の一表面側に配置される発光装置３と、発光装置３を点灯する点灯装置２と、発光装置３と点灯装置２とを電気的に接続する接続端子４と、発光装置３を覆うようにベース１に取り付けられる透光性のカバー７と、を備えている。点灯装置２の配線基板２ａは、厚み方向において、発光装置３の実装基板３ｂと対向して配置される。配線基板２ａは、厚み方向に貫通し発光装置３からの光の配光を制御する開口部２ａａを有する。接続端子４は、実装基板３ｂと配線基板２ａとが互いに離れる方向に向かって、弾性力を付与する。カバー７は、配線基板２ａを支持し、配線基板２ａの厚み方向において、実装基板３ｂと配線基板２ａとの距離を相対的に変位できるように構成されている。【選択図】図１
2017212080.tif 000002
【特許請求の範囲】
【請求項１】
ベースと、前記ベースの一表面側に配置される発光装置と、前記発光装置を点灯する点灯装置と、前記発光装置と前記点灯装置とを電気的に接続する接続端子と、前記発光装置を覆うように前記ベースに取り付けられる透光性のカバーと、を備え、
前記発光装置は、ＬＥＤチップと、前記ＬＥＤチップが実装される実装基板と、前記ＬＥＤチップと電気的に接続する第１端子部と、を有しており、
前記実装基板は、前記ＬＥＤチップと、前記第１端子部と、が第１面に配置されており、
前記点灯装置は、厚み方向において前記実装基板と対向した配置される配線基板と、前記発光装置の点灯を制御する点灯回路を構成する電子部品と、前記電子部品と電気的に接続する第２端子部と、を有しており、
前記配線基板は、前記電子部品と、前記第２端子部と、が第２面に配置されており、
前記配線基板は、厚み方向に貫通し前記発光装置から放射された光の配光を制御する開口部を有し、
前記接続端子は、前記実装基板の前記第１端子部と電気的に接続する第１端部と、前記配線基板の前記第２端子部と電気的に接続する第２端部と、を有し、前記実装基板と前記配線基板とが互いに離れる方向に向かって弾性力を付与しており、
前記カバーは、前記配線基板を支持し、前記配線基板の厚み方向において、前記実装基板と前記配線基板との距離を相対的に変位できる構成であることを特徴とするＬＥＤユニット。
【請求項２】
前記接続端子は、板ばねであることを特徴とする請求項１に記載のＬＥＤユニット。
【請求項３】
前記接続端子は、コイルばねであることを特徴とする請求項１に記載のＬＥＤユニット。
【請求項４】
前記接続端子は、一端が前記第１端子部と電気的に接続され他端が前記実装基板の厚み方向に突出するピンと、一端が前記第２端子部と電気的に接続され他端が前記ピンの突出方向と交差する方向から前記ピンを挟む挟持部と、を備えることを特徴とする請求項１に記載のＬＥＤユニット。
【請求項５】
前記接続端子は、一端が前記第２端子部と電気的に接続され他端が前記配線基板の厚み方向に突出するピンと、一端が前記第１端子部と電気的に接続され他端が前記ピンの突出方向と交差する方向から前記ピンを挟む挟持部と、を備えることを特徴とする請求項１に記載のＬＥＤユニット。
【請求項６】
請求項１から請求項５の何れか１つに記載のＬＥＤユニットと、前記ＬＥＤユニットが取り付けられる器具本体と、を備えた照明器具。
【発明の詳細な説明】
【技術分野】
【０００１】
本発明は、ＬＥＤユニット及びそれを備えた照明器具に関する。
【背景技術】
【０００２】
従来、照明器具の光源としてＬＥＤユニットが利用されている。
【０００３】
この種のＬＥＤユニットに利用可能な発光装置として、回路基板と、発光素子と、配線基板と、レンズ部材と、を備えた構成が知られている（例えば、特許文献１）。
【０００４】
特許文献１の構成では、発光素子は、回路基板に実装されている。回路基板は、配線パターンを有している。配線基板は、電気導通用パターンを有している。配線基板の電気導通用パターンは、回路基板の配線パターンと電気的に接続されている。配線基板は、穴を有している。レンズ部材は、発光素子から出射する光を集光または拡散させる。レンズ部材の一部は、配線基板に形成された穴に嵌合させて、レンズ部材と配線基板との相対位置が位置決めされている。上述の特許文献１では、レンズ部材と配線基板との相対位置を変えることは開示されていない。
【先行技術文献】
【特許文献】
【０００５】
【特許文献１】特開２０１０−３９６８号公報
【発明の概要】
【発明が解決しようとする課題】
【０００６】
ところで、ＬＥＤユニットは、比較的簡単な構成で配光を制御できる構成が求められており、上述の特許文献１を利用した構成だけでは十分ではなく、更なる改良が求められている。
【０００７】
本発明の目的は、比較的簡単な構成で配光を制御できるＬＥＤユニット及びそれを備えた照明器具を提供する。
【課題を解決するための手段】
【０００８】
本発明に係る一態様のＬＥＤユニットは、ベースと、発光装置と、点灯装置と、接続端子と、カバーと、を備えている。上記発光装置は、上記ベースの一表面側に配置される。上記点灯装置は、上記発光装置を点灯する。上記接続端子は、上記発光装置と、上記点灯装置と、を電気的に接続する。上記カバーは、透光性を有している。上記カバーは、上記発光装置を覆うように、上記ベースに取り付けられる。上記発光装置は、ＬＥＤチップと、実装基板と、第１端子部と、を有している。上記実装基板は、上記ＬＥＤチップが実装される。上記第１端子部は、上記ＬＥＤチップと電気的に接続する。上記実装基板は、上記ＬＥＤチップと、上記第１端子部と、が第１面に配置されている。上記点灯装置は、配線基板と、電子部品と、第２端子部と、を有している。上記配線基板は、厚み方向において、上記実装基板と対向して配置される。上記電子部品は、点灯回路を構成する。上記点灯回路は、上記発光装置の点灯を制御する。上記第２端子部は、上記電子部品と電気的に接続する。上記配線基板は、上記電子部品と、上記第２端子部と、が第２面に配置されている。上記配線基板は、開口部を有する。上記開口部は、上記配線基板の厚み方向に貫通する。上記開口部は、上記発光装置から放射された光の配光を制御する。上記接続端子は、第１端部と、第２端部と、を有している。上記第１端部は、上記実装基板の上記第１端子部と電気的に接続する。上記第２端部は、上記配線基板の上記第２端子部と電気的に接続する。上記接続端子は、上記実装基板と上記配線基板とが互いに離れる方向に向かって、弾性力を付与する。上記カバーは、上記配線基板を支持している。上記カバーは、上記配線基板の厚み方向において、上記実装基板と上記配線基板との距離を相対的に変位できる構成である。
【０００９】
本発明に係る一態様の照明器具は、上述の上記ＬＥＤユニットと、上記ＬＥＤユニットが取り付けられる器具本体と、を備えている。
【発明の効果】
【００１０】
本発明のＬＥＤユニット及びそれを備えた照明器具は、比較的簡単な構成で配光を制御できる。
【図面の簡単な説明】
【００１１】
【図１】図１は、本発明の一実施形態のＬＥＤユニットを示す正面側の分解斜視図である。
【図２】図２は、同上のＬＥＤユニットの背面側を示す分解斜視図である。
【図３】図３は、同上のＬＥＤユニットを示す断面図である。
【図４】図４は、同上の変形例のＬＥＤユニットの要部を示す斜視図である。
【図５】図５は、同上の別の変形例のＬＥＤユニットの要部を示す側面図である。
【図６】図６は、同上の別の変形例のＬＥＤユニットの要部を示す斜視図である。
【図７】図７は、同上のＬＥＤユニットを備えた照明器具の断面図である。
【発明を実施するための形態】
【００１２】
以下では、本実施形態のＬＥＤユニット１０について、図１ないし図３を参照して説明する。図中においては、同じ部材に対し、同じ符号を付して重複する説明を省略する。各図面が示す部材の大きさや位置関係は、説明を明確にするために誇張していることがある。以下の説明において、本実施形態に含まれる各要素は、複数の要素を一の部材で構成して一の部材で複数の要素を兼用する態様としてもよいし、一の部材の機能を複数の部材で分担して実現してもよい。
【００１３】
本実施形態のＬＥＤユニット１０は、図１ないし図３に示すように、ベース１と、発光装置３と、点灯装置２と、接続端子４と、カバー７と、を備えている。発光装置３は、ベース１の一表面側に配置される。点灯装置２は、発光装置３を点灯する。接続端子４は、発光装置３と、点灯装置２と、を電気的に接続する。カバー７は、透光性を有している。カバー７は、発光装置３を覆うように、ベース１に取り付けられる。発光装置３は、ＬＥＤチップ３ａと、実装基板３ｂと、第１端子部３ｃと、を有している。実装基板３ｂは、ＬＥＤチップ３ａが実装される。第１端子部３ｃは、ＬＥＤチップ３ａと電気的に接続する。実装基板３ｂは、ＬＥＤチップ３ａと、第１端子部３ｃと、が第１面３ｂａに配置されている。点灯装置２は、配線基板２ａと、電子部品２ｂと、第２端子部２ｃと、を有している。配線基板２ａは、厚み方向において、実装基板３ｂと対向して配置される。電子部品２ｂは、点灯回路を構成する。点灯回路は、発光装置３の点灯を制御する。第２端子部２ｃは、電子部品２ｂと電気的に接続する。配線基板２ａは、電子部品２ｂと、第２端子部２ｃと、が第２面２ａｂに配置されている。配線基板２ａは、開口部２ａａを有する。開口部２ａａは、配線基板２ａの厚み方向に貫通する。開口部２ａａは、発光装置３から放射された光の配光を制御する。接続端子４は、第１端部４ａと、第２端部４ｂと、を有している。第１端部４ａは、実装基板３ｂの第１端子部３ｃと電気的に接続する。第２端部４ｂは、配線基板２ａの第２端子部２ｃと電気的に接続する。接続端子４は、実装基板３ｂと配線基板２ａとが互いに離れる方向に向かって、弾性力を付与する。カバー７は、配線基板２ａを支持する。カバー７は、配線基板２ａの厚み方向において、実装基板３ｂと配線基板２ａとの距離を相対的に変位できる構成である。
【００１４】
本実施形態のＬＥＤユニット１０は、開口部２ａａが発光装置３から放射された光の配光を規定し、カバー７が配線基板２ａの厚み方向において、実装基板３ｂと配線基板２ａとの距離を相対的に変位できる比較的簡単な構成で、配光を制御できる。
【００１５】
以下では、本実施形態のＬＥＤユニット１０の各構成について説明する。
【００１６】
本実施形態のＬＥＤユニット１０は、ベース１と点灯装置２と発光装置３と接続端子４とカバー７とに加え、図３に示すように、電線５と、レセプタクルコネクタ６と、を備えている。
【００１７】
ベース１は、有底円筒状の外形形状をしている。ベース１は、図１ないし図３に示すように、底壁部１ａと、周壁部１ｂと、雄ねじ部１ｃと、を有している。底壁部１ａは、円板状の外形形状をしている。底壁部１ａは、図２に示すように、厚み方向に貫通する貫通孔１ａａを有している。貫通孔１ａａは、背面視において、矩形状の外形形状をしている。周壁部１ｂは、円筒状の外形形状をしている。雄ねじ部１ｃは、周壁部１ｂに設けられる。雄ねじ部１ｃは、周壁部１ｂの外周面に沿って配置される。
【００１８】
ベース１は、例えば、アルミダイキャストで形成される。ベース１の材料は、アルミニウムだけに限らず、例えば、銅、若しくはステンレスでもよい。ベース１は、底壁部１ａと周壁部１ｂと雄ねじ部１ｃとが一体的に形成されている。ベース１は、底壁部１ａと周壁部１ｂと雄ねじ部１ｃとが一体的に形成された構成だけでなく、周壁部１ｂと雄ねじ部１ｃとが一体的に形成され、かつ底壁部１ａと周壁部１ｂとが別途に形成される構成でもよい。
【００１９】
点灯装置２は、配線基板２ａと電子部品２ｂと第２端子部２ｃとを備え、ＬＥＤチップ３ａを点灯させる点灯回路が形成されている。配線基板２ａは、環状平板の外形形状をしている。配線基板２ａは、中央部に開口部２ａａが設けられる。開口部２ａａは、配線基板２ａの厚み方向に貫通している。開口部２ａａは、正面視において、円形状をしている。配線基板２ａは、例えば、円環平板状、若しくは平板の枠状の外形形状に形成される。配線基板２ａは、配線を有している。配線は、所定の形状に形成されている。配線は、例えば、銅箔である。配線基板２ａは、複数種の電子部品２ｂが実装される。配線基板２ａは、配線により、複数種の電子部品２ｂを電気的に接続する。
【００２０】
配線基板２ａは、例えば、ガラス布基材エポキシ樹脂である。以下では、ガラス布基材エポキシ樹脂をガラスエポキシ基板とも称する。配線基板２ａは、ガラスエポキシ基板だけに限られず、金属ベースプリント配線板、若しくはセラミック基板でもよい。
【００２１】
複数種の電子部品２ｂは、例えば、トランス、ダイオード、コンデンサ、スイッチング素子及びスイッチング素子をスイッチング制御するドライブＩＣ(Integrated Circuit)である。複数種の電子部品２ｂは、配線基板２ａの第２面２ａｂに設けられている。
【００２２】
点灯回路は、複数種の電子部品２ｂが適宜に電気的に接続されて構成される。点灯回路は、ＬＥＤチップ３ａの点灯電力を生成する。点灯回路は、昇圧チョッパ回路及び降圧チョッパ回路を備えている。点灯回路は、商用交流電源などの外部電源からの交流電圧を直流電圧に整流する。点灯回路は、整流した直流電圧を昇圧及び降圧し、所定の目標値に一致する電流を出力する。点灯回路は、昇圧チョッパ回路及び降圧チョッパ回路を備える構成だけに限られない。点灯回路は、発光装置３の点灯を制御できればよく、ＬＥＤチップ３ａに流れる電流を制御する限流抵抗を備えただけの回路でもよい。
【００２３】
一対の第２端子部２ｃそれぞれは、配線基板２ａの第２面２ａｂに設けられている。一対の第２端子部２ｃは、配線基板２ａの配線と電気的に接続される。一対の第２端子部２ｃそれぞれは、導体により構成されている。第２端子部２ｃは、配線基板２ａの配線と一体的に構成されてもよいし、別体に構成されてもよい。点灯装置２は、先端にレセプタクルコネクタ６を有する電線５が電気的に接続される。
【００２４】
発光装置３は、図１及び図３に示すように、ＬＥＤチップ３ａと実装基板３ｂと一対の第１端子部３ｃとに加え、封止部３ｄを有している。ＬＥＤチップ３ａは、例えば、青色ＬＥＤチップである。ＬＥＤチップ３ａは、実装基板３ｂの第１面３ｂａに実装されている。ＬＥＤチップ３ａは、一つだけに限られず、実装基板３ｂに複数が実装されていてもよい。
【００２５】
実装基板３ｂは、矩形平板状の外形形状をしている。実装基板３ｂは、所定の形状の配線を有している。配線は、例えば、銅箔である。実装基板３ｂは、配線により、ＬＥＤチップ３ａと第１端子部３ｃとを電気的に接続する。実装基板３ｂは、複数のＬＥＤチップ３ａが実装されている場合、配線により複数のＬＥＤチップ３ａを電気的に直列接続させる。実装基板３ｂは、配線により、複数のＬＥＤチップ３ａを電気的に直列接続させる構成だけに限られない。実装基板３ｂは、配線により複数のＬＥＤチップ３ａを電気的に並列接続させてもよいし、直並列接続させてもよい。実装基板３ｂは、反射膜が第１面３ｂａに設けられている。反射膜は、例えば、白色のレジスト膜である。レジスト膜は、ＬＥＤチップ３ａが実装される配線のパッドと、一対の第１端子部３ｃとを除く第１面３ｂａ全体を覆う。レジスト膜は、ＬＥＤチップ３ａから放射された光が実装基板３ｂに吸収されることを抑制する。実装基板３ｂは、例えば、金属ベースプリント配線板である。実装基板３ｂは、金属ベースプリント配線板だけに限られず、例えば、セラミック基板、若しくはガラスエポキシ基板でもよい。
【００２６】
一対の第１端子部３ｃそれぞれは、実装基板３ｂの第１面３ｂａに設けられている。一対の第１端子部３ｃは、ＬＥＤチップ３ａに給電できるように、実装基板３ｂの配線と電気的に接続される。一対の第１端子部３ｃそれぞれは、導体により構成されている。第１端子部３ｃは、実装基板３ｂの配線と一体的に構成されてもよいし、別体に構成されてもよい。
【００２７】
封止部３ｄは、実装基板３ｂの第１面３ｂａに設けられている。封止部３ｄは、ＬＥＤチップ３ａを覆う。封止部３ｄは、透光性封止材料により形成されている。封止部３ｄは、レンズ機能を備えている。透光性封止材料としては、例えば、シリコーン樹脂、エポキシ樹脂、若しくはガラスが挙げられる。封止部３ｄは、透光性封止材料に蛍光体が含有されている。蛍光体は、青色ＬＥＤチップから放射される青色光により励起されて、黄色光を放射する黄色蛍光体が挙げられる。発光装置３は、青色ＬＥＤチップからの青色光と、黄色蛍光体からの黄色光との混色光により、白色光を発光する。言い換えれば、発光装置３は、白色ＬＥＤを構成している。
【００２８】
発光装置３の蛍光体は、黄色蛍光体に限らず、例えば、赤色蛍光体及び緑色蛍光体でもよい。発光装置３は、紫外ＬＥＤチップと、赤色蛍光体、緑色蛍光体及び青色蛍光体とが組み合わせられた白色ＬＥＤでもよい。発光装置３は、赤色ＬＥＤチップと、緑色ＬＥＤチップと、青色ＬＥＤチップと、が組み合わせられた白色ＬＥＤでもよい。発光装置３は、実装基板３ｂが点灯装置２の配線基板２ａと対向するように配置される。
【００２９】
接続端子４は、図１から図３に示すように、一対設けられている。一対の接続端子４それぞれは、長尺状の外形形状をしている。一対の接続端子４は、同様の構成で形成されている。各接続端子４は、金属板により形成されている。
【００３０】
各接続端子４は、第１端部４ａと第２端部４ｂとに加え、連結部４ｃと、を有している。第１端部４ａは、接続端子４の長手方向の一端に設けられている。第１端部４ａは、矩形平板の外形形状をしている。第２端部４ｂは、接続端子４の長手方向の一端と反対の他端に設けられている。第２端部４ｂは、矩形平板の外形形状をしている。連結部４ｃは、第１端部４ａと第２端部４ｂとを連結する。連結部４ｃは、側面視において、つづら折れ状の外形形状をしている。連結部４ｃは、つづら折れ状の外形形状をしていることで、圧縮ばねを構成している。接続端子４は、圧縮された状態で、第１端部４ａと第２端部４ｂとが離れる方向に弾性力を付与できる。
【００３１】
接続端子４は、第１端部４ａが実装基板３ｂの第１端子部３ｃと接触することで、発光装置３と電気的に接続する。一対の接続端子４のうち、一方の接続端子４の第１端部４ａは、発光装置３のアノード側の第１端子部３ｃと電気的に接続される。一対の接続端子４のうち、他方の接続端子４の第１端部４ａは、発光装置３のカソード側の第１端子部３ｃと電気的に接続される。接続端子４は、第２端部４ｂが配線基板２ａの第２端子部２ｃと接触することで、点灯装置２と電気的に接続する。接続端子４は、配線基板２ａと実装基板３ｂとの間に配置される。各接続端子４は、金属板の打ち抜き加工及び折り曲げ加工により形成される。接続端子４の材料としては、例えば、リン銅、真鍮、若しくは銀めっきを施した銅が挙げられる。
【００３２】
電線５は、芯線と、絶縁被覆と、を備えている。芯線の材料は、たとえば、銅などの金属材料である。絶縁被覆の材料は、たとえば、塩化ビニルである。電線５は、点灯装置２に給電できるように、２本設けられている。各電線５の一端は、配線基板２ａの配線と電気的に接続されている。各電線５の一端と反対の他端は、レセプタクルコネクタ６が設けられている。
【００３３】
レセプタクルコネクタ６は、図２に示すように、ベース１の貫通孔１ａａから外部に露出する。レセプタクルコネクタ６は、外部電源と電気的に接続されるプラグが挿入される。レセプタクルコネクタ６は、ベース１の厚み方向からプラグが挿入されるように構成されている。レセプタクルコネクタ６は、プラグと電気的及び機械的に接続できるように構成されている。レセプタクルコネクタ６は、電線５を介して、外部電源からの電力を点灯装置２に給電する。
【００３４】
カバー７は、図１から図３に示すように、全体として、有底円筒状の外形形状をしている。カバー７は、発光装置３から放射された光を透過させる。カバー７は、カバー本体７ａと、覆部７ｂと、雌ねじ部７ｃと、を有する。
【００３５】
カバー本体７ａは、有底円筒状の外形形状をしている。カバー本体７ａは、光出射部７ｈと、第１周壁７ｊと、を有している。光出射部７ｈは、円板状の外形形状をしている。光出射部７ｈは、発光装置３からの光を外部へ出射させる。第１周壁７ｊは、円筒状の外形形状をしている。第１周壁７ｊは、光出射部７ｈの周縁に沿って設けられている。第１周壁７ｊは、一端側が光出射部７ｈで塞がれている。第１周壁７ｊは、光出射部７ｈと滑らかに連続するように形成されている。
【００３６】
覆部７ｂは、鍔部７ｋと、第２周壁７ｍと、を有している。鍔部７ｋは、円環平板状の外形形状をしている。鍔部７ｋは、配線基板２ａの周部と当たるように構成されている。鍔部７ｋは、電子部品２ｂが実装された配線基板２ａの第２面２ａｂと反対側が当たる。
【００３７】
鍔部７ｋは、カバー７がベース１に取り付けられた状態で、接続端子４の弾性力により、配線基板２ａが押し付けられる。言い換えれば、カバー７の鍔部７ｋは、配線基板２ａを支持する。
【００３８】
第２周壁７ｍは、円筒状の外形形状をしている。第２周壁７ｍは、正面視において、第１周壁７ｊよりも外形が大きい。第２周壁７ｍは、鍔部７ｋの厚み方向に沿って、鍔部７ｋの外周縁から突出する。第２周壁７ｍは、鍔部７ｋの厚み方向に沿って、第１周壁７ｊと反対方向に突出する。
【００３９】
雌ねじ部７ｃは、第２周壁７ｍに設けられる。雌ねじ部７ｃは、第２周壁７ｍの内面に沿って配置される。雌ねじ部７ｃは、雄ねじ部１ｃとねじ合うように構成されている。雌ねじ部７ｃは、雄ねじ部１ｃとねじ合うことで、カバー７がベース１に取り付けられる。
【００４０】
カバー７とベース１との間には、点灯装置２と、発光装置３と、一対の接続端子４と、電線５と、レセプタクルコネクタ６と、が配置される。カバー７は、ベース１に取り付けられた状態で、接続端子４が発光装置３と点灯装置２とが離れる方向に弾性力を付与するように、発光装置３と接続端子４と点灯装置２とをベース１との間に挟み持つ。カバー７は、ベース１に取り付けられた状態で、配線基板２ａを支持する。配線基板２ａは、ベース１に取り付けられた状態で、発光装置３のＬＥＤチップ３ａを開口部２ａａから露出させる。
【００４１】
カバー７は、カバー本体７ａと、覆部７ｂと、雌ねじ部７ｃと、が一体的に形成されている。カバー７は、透光性材料により形成されている。カバー７の透光性材料としては、例えば、アクリル樹脂、ポリカーボネート樹脂、若しくはガラスが挙げられる。カバー７は、例えば、射出形成により形成することができる。
【００４２】
以下では、本実施形態のＬＥＤユニット１０の比較的簡単な構成で、配光を制御できることを説明する。
【００４３】
ところで、ＬＥＤユニットでは、発光装置にも様々な種類のものがあり、異なる種類の発光装置で同じ配向特性を得ようとする場合、異なる種類の発光装置に対応してＬＥＤユニットの構造、若しくは光学部品の交換が必要となる場合がある。
【００４４】
本実施形態のＬＥＤユニット１０は、図３に示すように、配線基板２ａが実装基板３ｂと対向して配置される。ＬＥＤユニット１０は、開口部２ａａを介して、発光装置３の光を出射する。図３では、発光装置３の光を一点鎖線の矢印で例示している。ＬＥＤユニット１０は、開口部２ａａ周りの配線基板２ａが発光装置３から放射された光の一部を遮光する。言い換えれば、開口部２ａａは、発光装置３からの光の配光を制御する。ＬＥＤユニット１０は、配線基板２ａと実装基板３ｂとの距離を相対的に変位させることで、開口部２ａａを透過する光を変えて配光を制御できる。
【００４５】
ＬＥＤユニット１０は、カバー７がベース１に取り付けられた状態で雌ねじ部７ｃと雄ねじ部１ｃとのねじ締めが強められると、配線基板２ａの厚み方向において、実装基板３ｂに配線基板２ａが近づくように変位する。ＬＥＤユニットは、カバー７がベース１に取り付けられた状態で雌ねじ部７ｃと雄ねじ部１ｃとのねじ合いを緩めると、配線基板２ａの厚み方向において、実装基板３ｂから配線基板２ａが離れるように変位する。図３では、実装基板３ｂに対する配線基板２ａの変位の方向を白抜きの矢印で例示している。
【００４６】
本実施形態のＬＥＤユニット１０は、異なる種類の発光装置ごとに光学部品を変更させる必要がなく、比較的簡単な構成で配光を制御できる。本実施形態のＬＥＤユニット１０では、配線基板２ａが実装基板３ｂと対向して配置されているので、実装基板３ｂからの熱が配線基板２ａに直接伝熱することを抑制できる。ＬＥＤユニット１０は、配線基板２ａが実装基板３ｂと対向して配置されているので、配線基板２ａからの熱が実装基板３ｂに直接伝熱することを抑制できる。
【００４７】
本実施形態のＬＥＤユニット１０では、接続端子４は、板ばねであることが好ましい。
【００４８】
本実施形態のＬＥＤユニット１０は、接続端子４が板ばねであることで、実装基板３ｂと配線基板２ａとの相対的な位置が変位しても、実装基板３ｂと配線基板２ａとの電気的な接続を行うことができる。
【００４９】
接続端子４は、はんだにより第１端部４ａと発光装置３とが接続される場合、接続端子４が金属板であるため、金属板の放熱によりはんだ接続が難しくなる傾向にある。本実施形態のＬＥＤユニット１０では、実装基板３ｂと配線基板２ａとが互いに離れる方向に向かって弾性力を付与する構成により、第１端部４ａと第１端子部３ｃとの間及び第２端部４ｂと第２端子部２ｃとの間の電気的な接続信頼性を高めることができる。
【００５０】
本実施形態のＬＥＤユニット１０は、接続端子４が板ばねであることで、カバー７をベース１から外した状態で、実装基板３ｂと配線基板２ａとの電気的な接続を解除できる。ＬＥＤユニット１０は、実装基板３ｂと配線基板２ａとの電気的な接続を解除できるので、作業者が発光装置３からの光を直視することを防止できる。
【００５１】
本実施形態のＬＥＤユニット１０では、弾性力を付与するばね形状により、第１端部４ａと第１端子部３ｃとの間及び第２端部４ｂと第２端子部２ｃとの間の電気的な接続を比較的に簡単に行うことができるため、組立作業性の向上を図ることができる。
【００５２】
次に、本実施形態のＬＥＤユニット１０の変形例の構成について、図４から図６に示す要部に基づいて説明する。
【００５３】
図４に示す第１変形例は、接続端子４がコイルばねで構成された以外、本実施形態のＬＥＤユニット１０と同様の構成としている。
【００５４】
第１変形例の構成では、接続端子４がコイルばねで構成されているので、実装基板３ｂと配線基板２ａとが離れる方向に向かう弾性力の大きさを調整することが比較的に簡単にできる。
【００５５】
すなわち、本実施形態の変形例のＬＥＤユニット１０では、接続端子４は、コイルばねであることが好ましい。
【００５６】
図５及び図６に示す第２変形例では、接続端子４が板ばねの代わりにピン４ｄと挟持部４ｅとを備えた構成とする以外、本実施形態のＬＥＤユニット１０と同様の構成としている。
【００５７】
第２変形例では、接続端子４は、ピン４ｄと、挟持部４ｅと、を備えている。ピン４ｄは、一端が第１端子部３ｃと電気的に接続される。ピン４ｄは、他端が実装基板３ｂの厚み方向に突出する。挟持部４ｅは、一端が第２端子部２ｃと電気的に接続される。挟持部４ｅは、他端がピン４ｄの突出方向と交差する方向からピン４ｄを挟むことが好ましい。
【００５８】
第２変形例では、挟持部４ｅがピン４ｄの突出方向と交差する方向からピン４ｄを挟んでいるので、カバー７をベース１にねじ合いする際、実装基板３ｂ及び配線基板２ａのともまわりに伴う電気的な接触不良を抑制できる。第２変形例では、実装基板３ｂは、厚み方向に貫通した挿通孔２ｂａを有している。挿通孔２ｂａは、ピン４ｄが挿通される。
【００５９】
第２変形例では、ピン４ｄの他端が実装基板３ｂの厚み方向に突出し、挟持部４ｅの他端がピン４ｄを挟む構成だけに限られない。第２変形例では、ピン４ｄの他端が配線基板２ａの厚み方向に突出し、挟持部４ｅの他端がピン４ｄを挟む構成でもよい。
【００６０】
すなわち、ＬＥＤユニット１０では、接続端子４は、ピン４ｄと、挟持部４ｅと、を備えている。ピン４ｄは、一端が第２端子部２ｃと電気的に接続される。ピン４ｄは、他端が配線基板２ａの厚み方向に突出する。挟持部４ｅは、一端が第１端子部３ｃと電気的に接続される。挟持部４ｅは、他端がピン４ｄの突出方向と交差する方向からピン４ｄを挟む構成でもよい。
【００６１】
以下に、ＬＥＤユニット１０の組立工程について、説明する。
【００６２】
ＬＥＤユニット１０の組立工程では、ベース１の底壁部１ａに発光装置３が載せ置かれる。発光装置３は、底壁部１ａに直接載せ置かれる構成だけに限られない。発光装置３は、放熱シートを介して、ベース１の上に載せ置かれてもよい。放熱シートは、発光装置３で発生した熱をベース１へ効率よく放熱させる。放熱シートは、電気絶縁性及び熱伝導性を有している。放熱シートは、ゲル状で架橋密度が低く軟質で弾性を有するゲル状エラストマー材料がより好ましい。放熱シートは、例えば、シリコーンゲルシートが挙げられる。放熱シートは、シリコーンゲルシートだけに限られず、電気絶縁性と熱伝導性に優れた材料で形成されていればよい。
【００６３】
発光装置３が放熱シートを介してベース１の上に載せ置かれる場合、ベース１は、矩形枠状の位置決め突起を底壁部１ａに有していてもよい。位置決め突起は、底壁部１ａの厚み方向に沿って、底壁部１ａから外方へ向かって突出する。位置決め突起は、正面視において、矩形状の外形形状をしている。位置決め突起の高さ寸法は、放熱シートの厚み寸法よりも大きくなるように設定される。
【００６４】
次に、一対の接続端子４を実装基板３ｂと配線基板２ａとの間に挟み込むように、接続端子４と配線基板２ａとが配置される。配線基板２ａには、予め電子部品２ｂが実装されている。配線基板２ａには、予め電線５が電気的に接続されている。一対の接続端子４を実装基板３ｂと配線基板２ａとの間に挟み込んだ状態で、配線基板２ａの開口部２ａａは、正面視において、発光装置３の封止部３ｄを露出する。接続端子４は、第１端部４ａが実装基板３ｂの第１端子部３ｃ上に配置される。接続端子４と実装基板３ｂの第１端子部３ｃとは、電気的に接続される。接続端子４は、第２端部４ｂが配線基板２ａの第２端子部２ｃ上に配置される。接続端子４と配線基板２ａの第２端子部２ｃとは、電気的に接続される。
【００６５】
組立工程では、一対の接続端子４が実装基板３ｂと配線基板２ａとの間に挟まれた状態で、カバー７がベース１に取り付けられる。カバー７の雌ねじ部７ｃがベース１の雄ねじ部１ｃにねじ込まれることで、カバー７がベース１に取り付けられる。カバー７がベース１に取り付けられた状態で、第１端部４ａが第１端子部３ｃに弾性力を付与する。カバー７がベース１に取り付けられた状態で、第２端部４ｂが第２端子部２ｃに弾性力を付与する。最後に、ＬＥＤユニット１０は、カバー７をベース１にねじ込む深さを調整して、配光が制御される。
【００６６】
次に、ＬＥＤユニット１０を備えた照明器具１２について、図７を参照しながら簡単に説明する。図７に示す照明器具１２は、天井材１７に埋め込み配置されるダウンライトである。
【００６７】
照明器具１２は、ＬＥＤユニット１０と、ＬＥＤユニット１０が取り付けられる器具本体１１と、を備えている。
【００６８】
器具本体１１は、本体部１１ａと、外鍔部１１ｂと、底部１１ｃと、電源収納部１１ｅと、を有している。本体部１１ａは、円筒状の外形形状をしている。外鍔部１１ｂは、本体部１１ａの開口縁から外方へ延びている。
【００６９】
本体部１１ａには、ＬＥＤユニット１０が収納される。ＬＥＤユニット１０は、底部１１ｃに置かれる。底部１１ｃは、円板状の外形形状をしている。底部１１ｃは、筒状の本体部１１ａの一端を塞ぐ。底部１１ｃは、厚み方向に貫通する接続孔１１ｃａを有している。接続孔１１ｃａは、ＬＥＤユニット１０のレセプタクルコネクタ６を外部に露出させる。
【００７０】
本体部１１ａは、底部１１ｃを介して、反対側に電源収納部１１ｅが配置されている。電源収納部１１ｅは、筒状の外形形状をしている。電源収納部１１ｅは、筒状の一端が底部１１ｃで塞がれている。電源収納部１１ｅは、電源ユニット１５を収納配置する。電源ユニット１５は、電源線１３と電気的に接続されている。電源線１３の先端部には、コネクタプラグ１４が設けられている。電源ユニット１５は、電源線１３及びコネクタプラグ１４を介して、ＬＥＤユニット１０を点灯させる電力を供給できるように構成されている。電源ユニット１５は、外部電源と電気的に接続された端子台もよいし、ＬＥＤユニット１０に電力を給電する蓄電池でもよい。
【００７１】
電源ユニット１５は、電源収納部１１ｅから離して配置される。照明器具１２は、電源ユニット１５と電源収納部１１ｅとを離して配置されることで、電源ユニット１５とＬＥＤユニット１０との間で熱伝導することを抑制している。照明器具１２は、電源ユニット１５のコネクタプラグ１４が接続孔１１ｃａに挿入されることで、レセプタクルコネクタ６と電気的に接続される。
【００７２】
ＬＥＤユニット１０では、ベース１の貫通孔１ａａから露出したレセプタクルコネクタ６が、電源ユニット１５のコネクタプラグ１４と着脱自在に接続される。照明器具１２は、電源ユニット１５のコネクタプラグ１４と、ＬＥＤユニット１０とが着脱自在に接続可能なコネクタを構成しているので、ＬＥＤユニット１０の着脱時の接続作業を容易に行うことができる。
【００７３】
器具本体１１は、天井材１７に設けられた埋込穴１７ａに埋め込まれる。器具本体１１は、取付ばねを備えていてもよい。取付ばねは、外鍔部１１ｂとの間で、天井材１７における埋込穴１７ａの周部を挟み持つ。器具本体１１は、外鍔部１１ｂが天井材１７の下面における埋込穴１７ａの周部に当接する形で天井材１７に取り付けられる。
【００７４】
器具本体１１は、金属材料により形成されている。照明器具１２は、樹脂製の器具本体１１と比べ、金属製の器具本体１１を介して、ＬＥＤユニット１０の発光装置３で発生した熱を、ベース１を通して外部に効率よく放熱させることができる。器具本体１１の材料としては、例えば、アルミニウムが挙げられる。器具本体１１の材料は、アルミニウムだけに限られず、例えば、銅、若しくはセラミックスでもよい。
【００７５】
本発明は、上述の実施形態だけに限定されず、本発明に係る技術的思想を逸脱しない範囲で、種々変更することができる。
【符号の説明】
【００７６】
１  ベース
２  点灯装置
２ａ  配線基板
２ａａ  開口部
２ａｂ  第２面
２ｂ  電子部品
２ｃ  第２端子部
３  発光装置
３ａ  ＬＥＤチップ
３ｂ  実装基板
３ｂａ  第１面
３ｃ  第１端子部
４  接続端子
４ａ  第１端部
４ｂ  第２端部
４ｄ  ピン
４ｅ  挟持部
７  カバー
１０  ＬＥＤユニット
１１  器具本体
１２  照明器具
【図１】
2017212080.tif 000003
【図２】
2017212080.tif 000004
【図３】
2017212080.tif 000005
【図４】
2017212080.tif 000006
【図５】
2017212080.tif 000007
【図６】
2017212080.tif 000008
【図７】
2017212080.tif 000009